(57)【要約】【課題】小型化及び軽量化の可能な水栓装置及びこれを備える洗面台を提供すること。【解決手段】給水管１３に接続され、給水及び止水を行う水栓本体１０と、内部に水栓本体１０を収容し、先端側が開口して給水管１３側を基端とする略円筒状の収容部材２０と、収容部材２０に接続されるとともに、水栓本体１０を収容部材２０に固定する固定部材１２と、を備え、収容部材２０の開口の内側面には、固定部材１２が螺合されるネジ部２１２が形成され、収容部材２０は樹脂製である、水栓装置である。【選択図】図３
2020026669.tif 000002
【特許請求の範囲】
【請求項１】
給水管に接続され、給水及び止水を行う水栓本体と、
内部に前記水栓本体を収容し、先端側が開口して前記給水管側を基端とする略円筒状の収容部材と、
前記収容部材に接続されるとともに、前記水栓本体を前記収容部材に固定する固定部材と、を備え、
前記収容部材の前記開口の内側面には、前記固定部材が螺合されるネジ部が形成され、
前記収容部材は樹脂製である、水栓装置。
【請求項２】
前記固定部材は、前記収容部材に螺合された状態で、前記開口の外側に配置されるとともに前記収容部材の先端側の端面に当接する当接部を有する、請求項１に記載の水栓装置。
【請求項３】
湯水を貯水可能なボウル部及び前記ボウル部の背面側から起立する後方壁部を有する洗面器と、
前記後方壁部に設けられ、前記洗面器に湯水を吐水可能な吐水装置及び前記吐水装置に隣接する請求項１又は２に記載の前記水栓装置を有する混合水栓システムと、を備える、洗面台。
【発明の詳細な説明】
【技術分野】
【０００１】
本発明は、水栓装置及び洗面台に関する。
【背景技術】
【０００２】
従来、台所や洗面所等に設けられる洗面台に設けられ、レバーを操作することで吐水装置から湯水を吐水させるいわゆるシングルレバー式の混合水栓システムが知られている。混合水栓システムは、レバーとともに設けられる水栓装置を有しており、水栓装置は、給水管等に接続される水栓本体と、水栓本体を収容する収容部材と、水栓本体を収容部材に収容した状態で固定する固定部材を有する（例えば、特許文献１参照）。
【先行技術文献】
【特許文献】
【０００３】
【特許文献１】特開２０１７−２６３１号公報
【発明の概要】
【発明が解決しようとする課題】
【０００４】
収容部材は、耐久性等を考慮して、金属製であることが多い。しかし、金属製の場合、重量が大きくなるとともに、製造コストが増加するという問題があった。一方、収容部材を構成する材料を変更することで重量及び製造コストを低減しようとすると、強度が低下する懸念がある。このため、軽量化しつつ強度を確保する場合、収容部材が大型化するという問題があった。
【課題を解決するための手段】
【０００５】
本発明は、給水管（例えば、後述の給水管１３）に接続され、給水及び止水を行う水栓本体（例えば、後述の水栓本体１０）と、内部に前記水栓本体を収容し、先端側が開口して前記給水管側を基端とする略円筒状の収容部材（例えば、後述の収容部材２０）と、前記収容部材に接続されるとともに、前記水栓本体を前記収容部材に固定する固定部材（例えば、後述の固定ナット１２）と、を備え、前記収容部材の前記開口の内側面には、前記固定部材が螺合されるネジ部（例えば、後述の内側ネジ部２１２）が形成され、前記収容部材は樹脂製である、水栓装置に関する。
【０００６】
前記固定部材は、前記収容部材に螺合された状態で、前記開口の外側に配置されるとともに前記収容部材の先端側の端面に当接する当接部（例えば、後述のフランジ部１２２）を有することが好ましい。
【０００７】
また、本発明は、湯水を貯水可能なボウル部（例えば、後述のボウル部５１）及び前記ボウル部の背面側から起立する後方壁部（例えば、後述の後方壁部５２）を有する洗面器（例えば、後述の洗面器５）と、前記後方壁部に設けられ、前記洗面器に湯水を吐水可能な吐水装置（例えば、後述の吐水装置３）及び前記吐水装置に隣接する前記水栓装置を有する混合水栓システム（例えば、後述の混合水栓システム４）と、を備える、洗面台（例えば、後述の洗面台１００）に関する。
【発明の効果】
【０００８】
本発明によれば、小型化及び軽量化の可能な水栓装置及びこれを備える洗面台を提供することができる。
【図面の簡単な説明】
【０００９】
【図１】本実施形態の洗面台の斜視図である。
【図２】本実施形態の洗面器の斜視図である。
【図３】本実施形態の洗面器に取り付けられた水栓装置を示す背面図である。
【図４】本実施形態の水栓装置の部分拡大断面図である。
【図５】本実施形態の吐水装置の部分拡大断面図である。
【図６】他の実施形態における水栓装置の部分拡大断面図である。
【発明を実施するための形態】
【００１０】
以下、本発明の実施形態について図面を参照しながら詳細に説明する。
図１は、本実施形態に係る洗面台１００の斜視図であり、図２は、洗面器５の斜視図である。図３は、洗面器５に取り付けられた水栓装置１を示す背面図である。図１〜図３に示すように、洗面台１００は、下部収納キャビネット６と、下部収納キャビネット６の上方に設けられた洗面器５と、洗面器５内に水や湯を吐出させる混合水栓システム４とを備えて構成されている。なお、本実施形態の洗面台１００は、洗面器５の上方にミラーキャビネット（上部収納キャビネット）を備え、洗面化粧台として構成しても勿論構わない。
なお、本明細書において、洗面台１００の使用時に使用者が位置する方を前方、前方に対向する奥側を後方と呼び、前方から後方に向かった状態で左右方向を規定する。
【００１１】
洗面器５は、図１及び図２に示すように、湯水を貯水又は排水可能なボウル部５１と、ボウル部５１の背面側から起立する後方壁部５２を有する。
ボウル部５１は、略四角形の周縁と、周縁から下方に向かって窪む凹部を有する。
後方壁部５２は、ボウル部５１の後方側から上方に向かって延出し、上方に向かうにしたがって後方へ傾く板面である。後方壁部５２には、後述する混合水栓システム４が取り付けられる。後方壁部５２には、混合水栓システム４の水栓装置１を取り付ける水栓装置取付孔５２１が形成される。水栓装置取付孔５２１は、後方壁部５２を貫通する貫通孔である。
【００１２】
下部収納キャビネット６は、洗面台１００が取り付けられる建物の壁等に設けられる収納棚である。下部収納キャビネット６は、後壁面６１と、前扉６２と、一対の側壁部６３とを有する。
後壁面６１は、給水口６１１及び給湯口６１２が配置される建物自体の壁面である。
一対の側壁部６３は、洗面器５の幅方向の一方及び他方の下端から床まで延びる略長方形の板面である。側壁部６３は、その短手方向が前後方向に沿うように配置される。
前扉６２は、洗面台１００の手前側の縁から下方に延びる。前扉６２は、一対の側壁部６３それぞれに取り付けられて前後に回動可能な観音扉である。前扉６２を開けると、下部収納キャビネット６の収納空間にアクセスでき、洗面台１００で使用する物品等を収容することができる。
【００１３】
混合水栓システム４は、水栓本体１０及びハンドル１１からなる水栓装置１と、水栓装置１のハンドル操作に応じて水や湯を吐出する吐水装置３とで構成されている。
【００１４】
水栓装置１は、洗面器５の後方壁部５２の略中央部に取り付けられ、湯水の吐水を操作する装置である。水栓装置１は、使用者が吐水を直接操作するハンドル１１と、ハンドル１１に連結されて湯水の供給を制御するバルブを開閉する水栓本体１０と、水栓本体１０に湯水を供給する給水管１３と、水栓本体１０から吐水装置３側へ湯水を供給する連結ホース１４と、を有する。
【００１５】
図４は、水栓装置１の部分拡大断面図である。
ハンドル１１は、図４に示すように、洗面器５の後方壁部５２から手前側へ突出し、手前及び左右方向に可動するように取り付けられる。ハンドル１１は、水栓本体１０に取り付けられるハンドル本体部１１１と、ハンドル本体部１１１から延出するハンドルレバー部１１２と、レバー連結部１１３と、を有する。
ハンドル本体部１１１は、有底筒状に形成され、取り付けられた状態で洗面器５の後方壁部５２側に向かって開口し、手前側の表面が略円形に形成されている。
ハンドルレバー部１１２は、ハンドル本体部１１１の外周から径方向外側へ延びる細長い持ち手である。
レバー連結部１１３は、ハンドル本体部１１１の内側面から傾斜して立設される突起部であり、突起部の内側が窪んでいる。レバー連結部１１３では、突起の内側に後述するレバー１０２が連結される。
【００１６】
図３に示すように、給水管１３は、水が供給される入水管１３１と、湯が供給される入湯管１３２とを有し、それぞれから水栓装置１内へと湯水が供給される。給水管１３は、水栓装置１の背面側から下方に延び、建物の壁面の給水口６１１に入水管１３１が、給湯口６１２に入湯管１３２が接続される。
【００１７】
連結ホース１４は、水栓装置１の背面側から吐水装置３側へと接続されるフレキシブルなホースである。連結ホース１４は、水栓装置１内で混合された湯水を水栓装置１から吐水装置３へ送る管である。
【００１８】
図４に示すように、水栓本体１０は、洗面器５の後方壁部５２から手前側に突出するように配置される略筒状の部材であり、内部に給水及び止水を動作させる部品が配置されている。水栓本体１０は、カートリッジ１０１と、レバー１０２と、軸支体１０３と、スライドプレート１０４と、可動弁体１０５と、固定弁体１０６と、を有する。
【００１９】
カートリッジ１０１は、内部に湯水が流入可能な筒状の部材である。カートリッジ１０１は、基端側に形の大きな大径部１０１ａと、先端側に大径部１０１ａよりも径の小径部１０１ｂが形成され、大径部１０１ａと小径部１０１ｂが前後方向の半ばで接続されて、接続部には段差１０１ｃが形成されている。また、径が切り替わる段差１０１ｃにおける大径部１０１ａの表面には、先端側に向かって突出する突起１０１ｄが形成されている。
【００２０】
レバー１０２は、カートリッジ１０１内に配置される角柱状の部材であり、上端がハンドル１１のレバー連結部１１３に接続されている。レバー１０２は、使用者がハンドル１１を操作することで、その方向や位置を変更される。
【００２１】
軸支体１０３は、レバー１０２を支持する円筒状の支持体で、水栓装置１の後方側に配置される円盤部１０３ａと、円盤部１０３ａから前方へ延出し、円盤部１０３ａより小さい径の円筒体の支持部１０３ｂとを有し、カートリッジ１０１の内周に配置される。軸支体１０３の中空部内に、レバー１０２が配置されている。
【００２２】
スライドプレート１０４は、軸支体１０３の円盤部１０３ａの背面側に配置される略円盤状の部材である。スライドプレート１０４の前面側にはレバー１０２の基端を係合ピンにより接続するピン係合部１０４ａが突出して形成されている。スライドプレート１０４は、レバー１０２に接続され、レバー１０２の動きに伴ってカートリッジ１０１の軸に直交する方向にスライドする。
【００２３】
可動弁体１０５は、スライドプレート１０４の背面側に配置される円盤状の部材であり、中央部側に貫通孔が形成されている。可動弁体１０５は、レバー１０２の動きに伴って、スライドプレート１０４とともにスライドする。
【００２４】
固定弁体１０６は、可動弁体１０５の背面側に配置される円盤状の部材であり、入水孔、入湯孔、混合水孔の三つの貫通孔が形成されている。これらの貫通孔は、水栓装置１の背面側に形成された後述する第１接続部２２１、第２接続部２２２、及び第３接続部２２３（図３参照）を介して、入水孔は入水管１３１に、入湯孔は入湯管１３２に、混合水孔は連結ホース１４に連通する。固定弁体１０６は、カートリッジ１０１のカートリッジの背面側端部を塞ぐように取り付けられている。
【００２５】
水栓本体１０は、ハンドル１１の操作によりレバー１０２が動き、レバー１０２の移動に伴ってスライドプレート１０４及び可動弁体１０５が、カートリッジ１０１の軸に直交するように移動する。この移動により、固定弁体１０６に形成された入水孔及び入湯孔で、スライドプレート１０４及び可動弁体１０５の位置に応じて開口面積が調整される。そして、入水管１３１及び入湯管１３２から湯水がカートリッジ１０１内に流入する。同時に、湯水がカートリッジ１０１内で混合され、混合水孔から排出される。混合された湯水は、連結ホース１４を介して吐水装置３へ供給される。レバー１０２、スライドプレート１０４、可動弁体１０５、固定弁体１０６により、水栓装置１から吐水装置へ湯水の給水及び止水を行う際のバルブが構成される。バルブの孔のそれぞれを介して、水栓本体１０は、給水管１３（入水管１３１、入湯管１３２）に接続される。
【００２６】
図４に示すように、水栓装置１は、さらに、水栓本体１０を内部に収容する収容部材２０と、収容部材２０内に水栓本体１０を固定する固定部材としての固定ナット１２と、収容部材２０とハンドル１１との間を接続する化粧キャップ１７と、これらを洗面器５の後方壁部５２に取り付ける取付ナット１６と、を有する。
【００２７】
収容部材２０は、先端側が開口し、給水管１３側を基端とする略円筒状の部材であり、水栓本体１０を内部に収容する。収容部材２０は、後方壁部５２の水栓装置取付孔５２１に取り付けられる。収容部材２０は、本体支持部２１及び背面部２２を有し、樹脂により成型される。
【００２８】
本体支持部２１は、水栓装置取付孔５２１から前方へ突出するように延び、水栓装置取付孔５２１側を基端、ハンドル１１側を先端とする略円筒形のケースである。本体支持部２１は、外側ネジ部２１１と、ネジ部としての内側ネジ部２１２と、を有する。
【００２９】
外側ネジ部２１１は、後述する取付ナット１６が螺合し、締結される。外側ネジ部２１１は、本体支持部２１の基端側の外側表面に形成されるネジ溝である。
【００３０】
内側ネジ部２１２は、後述する固定ナット１２が螺合し、締結される。内側ネジ部２１２は、本体支持部２１の先端側に形成される開口近傍の内側表面に形成されるネジ溝である。内側ネジ部２１２は、本体支持部２１の先端の内側にネジ溝よりも山の大きなリム部２１２ａを有し、リム部２１２ａから本体支持部２１の基端側に向かって所定の幅、ネジ溝が形成されている。
本体支持部２１は、外側ネジ部２１１に外周側に凸となるネジ溝が形成されている他は、基端側から先端側へ概ね同じ径で延びている。
【００３１】
背面部２２は、本体支持部２１の基端側に配置され、円筒状の本体支持部２１の基端部を塞ぐように形成される略円盤状の部分である。背面部２２は、本体支持部２１の径よりも大きな径を有し、水栓装置取付孔５２１の背面側に配置される。図３に示すように、背面部２２の背面側には、第１接続部２２１、第２接続部２２２、第３接続部２２３が形成されている。
第１接続部２２１、第２接続部２２２、第３接続部２２３は、それぞれが背面部２２を貫通して本体支持部２１に連通する孔から延びる円筒状の管である。第１接続部２２１は、入水管１３１に接続され、第２接続部２２２は、入湯管１３２に接続され、第３接続部２２３は、連結ホース１４に接続される。
【００３２】
化粧キャップ１７は、収容部材２０の外側を覆う樹脂製のキャップであり、胴体部１７１と、縮径部１７２と、を有する。
胴体部１７１は、収容部材２０における本体支持部２１の基礎端側から先端側を覆う径の一定した円筒状の部分である。
縮径部１７２は、胴体部１７１の先端側からさらに先端側に向かって突出し、先端側に向かうにしたがって縮径する。縮径部１７２の先端は、円形に開口している。縮径部１７２は、胴体部１７１が本体支持部２１の外表面を覆った状態で、ハンドル１１のハンドル本体部１１１における内部に向かって延びる。また、縮径部１７２の外表面は、ハンドル本体部１１１の側面によって覆われる。縮径部１７２は、ハンドル本体部１１１と直接的に接合されてはおらず、ハンドル１１の移動によって本体支持部２１とハンドル本体部１１１の間に隙間があくことを防止している。
【００３３】
取付ナット１６は、略円筒形でネジ溝の形成されたナットであり、収容部材２０における本体支持部２１の基端側に形成された外側ネジ部２１１に螺合される。取付ナット１６の先端側は、化粧キャップ１７の基端側を覆うように延出する。
【００３４】
固定ナット１２は、収容部材２０に接続されて、水栓本体１０を収容部材２０に固定するナットである。固定ナット１２は、略円筒形でネジ溝の形成されたナットであり、締結部１２１と、当接部としてのフランジ部１２２と、先端部１２３と、を有する。
【００３５】
締結部１２１は、固定ナット１２の外周面で、固定ナット１２の後方側に形成され、取り付けた状態で本体支持部２１の後方へ延びる部分である。締結部１２１は、本体支持部２１の内周面に形成された内側ネジ部２１２に対応する部分に形成されたネジ溝である。詳細には、固定ナット１２の後方側端部から固定ナット１２の前後方向の中程まで、溝が形成されている。また、締結部１２１の先端側では、本体支持部２１における内側ネジ部２１２のリム部２１２ａに対応する位置に、リム部２１２ａを受けるようにネジ溝の溝よりも大きな溝が形成されている。
締結部１２１の基端側は、先端側よりも肉厚の厚みを有して形成されている。締結部１２１の基端側の端面は、本体支持部２１における大径部１０１ａの突起１０１ｄに当接し、段差１０１ｃには接していない。
【００３６】
フランジ部１２２は、締結部１２１の先端側で、外周側へ向かって延出する拡径した鍔状の部分である。フランジ部１２２は、固定ナット１２が収容部材２０に螺合された状態で、本体支持部２１の開口の外側に配置され、収容部材２０の先端側の端面に当接する。
【００３７】
先端部１２３は、固定ナット１２のフランジ部１２２よりも先端側に延びる円筒状の部分であり、ネジ溝が形成されていない。先端部１２３の外径は、フランジ部１２２の外径よりも小さい。
【００３８】
図５は吐水装置３の部分拡大断面図である。図５に示すように、吐水装置３は、水栓装置１で混合された湯水を洗面器５へ吐水する装置である。吐水装置３は、図１及び図２に示すように、洗面器５の後方壁部５２に設けられ、水栓装置１に幅方向に隣接して配置されている。吐水装置３は、台座部３１と、吐水管３２と、吐水ヘッド３３と、ホースガイド部３４と、連結部材３５及びストッパ／錘部材３６と（図１参照）を有する。
【００３９】
図２に示すように、台座部３１は、後方壁部５２にねじにより取り付けられる。台座部３１は、後方壁部５２の壁面に沿う薄い円盤状の部材であり、内部が中空である。
【００４０】
吐水管３２は、台座部３１から上方へ延びるともに、上端側が下方へ垂れるいわゆるグースネック形状を有する。吐水管３２は、中空の管であり、台座部３１の中空空間と連続している。吐水管３２の内部には、水栓装置１から供給される湯水が流通する給水ホース３２１が挿通している。
【００４１】
吐水ヘッド３３は、吐水管３２の先端に設けられる部材であり、吐水管３２から着脱可能に取り付けられている。吐水ヘッド３３は、給水ホース３２１と接続されており、吐水管３２から外した場合に、吐水ヘッド３３を動かして使用可能になっている。
【００４２】
ホースガイド部３４は、後方壁部５２の背面側に取り付けられる給水ホース３２１の取付部材である。ホースガイド部３４は、固定部３４１と、ホース接続部３４２と、を有する。
ホース接続部３４２は、給水ホース３２１が接続される管であり、給水ホース３２１よりも径が大きい。
固定部３４１は、平たい略円柱状の部材で、後方壁部５２の背面側にネジで固定される。固定部３４１の内部は中空である。ホース接続部３４２に連結された給水ホース３２１が、固定部３４１及び台座部３１内の通路を通り、吐水管３２内を挿通することで、水栓装置１から供給される湯水が給水ホース３２１内を流通するように構成されている。
【００４３】
図１に示すように、水栓装置１の連結ホース１４は、連結部材３５で吐水装置３の給水ホース３２１に接続される。
連結部材３５には、逆止弁が設けられていて、接続の際に湯水が逆流しないように構成されている。
ストッパ／錘部材３６は、給水ホース３２１の途中に着脱可能取り付けられている。ストッパ／錘部材３６は、給水ホース３２１が吐水ヘッド３３から引き出され、その後吐水管３２内に収容される際に、給水ホース３２１の引き出し量を規定する機能と、引き込みを円滑に行うための錘としての機能を有し、給水ホース３２１の移動を容易にしている。
【００４４】
以上の水栓装置１は、以下の手順で取り付けられる。
まず、収容部材２０内に水栓本体１０を配置し、次に固定ナット１２の締結部１２１を収容部材２０の内周側に形成された内側ネジ部２１２と螺合させて、収容部材２０内に水栓本体１０を固定する。固定ナット１２が収容部材２０に接続され、収容部材２０内に水栓本体１０が固定された状態で、洗面器５の背面側から、水栓本体１０及び固定ナット１２の取り付けられた収容部材２０を水栓装置取付孔５２１に挿通させる。
【００４５】
次に、収容部材２０の上に、化粧キャップ１７を被せ、取付ナット１６で化粧キャップ１７の基端側を覆いつつ、収容部材２０の基端側の外周面に形成された外側ネジ部２１１に取付ナット１６を螺合させ、締結する。
【００４６】
化粧キャップ１７の縮径部１７２の先端に形成された開口からは、水栓本体１０のレバー１０２が突出している。このレバー１０２の先端に、ハンドル１１のレバー連結部１１３を嵌め込み、レバー１０２とハンドル１１を連結する。
【００４７】
このように、収容部材２０内に水栓本体１０を収容し、固定ナット１２で水栓本体１０を収容部材２０に固定した状態で、後方壁部５２の水栓装置取付孔５２１から水栓本体１０の取り付けられた収容部材２０を取り付けることができる。例えば、仮に洗面器５や水栓装置取付孔５２１が既存のもので、例えば金属製の収容部材が取り付けられるような大きさの径を有していても、固定ナット１２を収容部材２０の内側に締結することで樹脂製の収容部材２０の径を小さくすることができるので、樹脂製の収容部材２０を有する水栓装置１を、既存の水栓装置取付孔が形成された洗面器に取り付けることが可能になる。
【００４８】
一方、水栓装置１の水栓本体１０における収容部材２０の背面部２２に設けられた第１接続部２２１を入水管１３１に、第２接続部２２２を入湯管１３２に接続し、入水管１３１の基端を給水口６１１に、入湯管１３２の基端を給湯口６１２に接続する。また、第３接続部を連結ホース１４に接続し、連結ホース１４を連結部材３５を介して吐水装置３の給水ホース３２１に接続する。これにより、水栓装置１と吐水装置３が連結される。
【００４９】
給水口６１１及び給湯口６１２から供給される湯水は、使用者によるハンドル１１の操作によって、水栓装置１の水栓本体１０内に供給されて、湯水が所望の温度に混合される。混合された湯水は、連結ホース１４から給水ホース３２１へと供給されて、吐水ヘッド３３から排出される。
【００５０】
本実施形態によれば、以下の効果が奏される。
本実施形態では、水栓装置１を、給水管１３に接続され、給水及び止水を行う水栓本体１０と、内部に水栓本体１０を収容し、先端側が開口して給水管１３側を基端とする略円筒状の収容部材２０と、収容部材２０に接続されるとともに、水栓本体１０を収容部材２０に固定する固定ナット１２と、を含んで構成した。また、収容部材２０の開口の内側面に、収容部材２０の開口の内側面には、固定ナット１２が螺合される内側ネジ部２１２を形成した。また、収容部材２０を樹脂製とした。
収容部材２０を樹脂により構成すると、軽量化できるとともに金属と比べて製造コストが低減される。一方、樹脂製の場合、強度を確保するために、収容部材２０の厚さを大きくする必要があった。また、収容部材２０に取り付ける固定ナット１２を収容部材の外側に締結した場合には、固定ナット１２の分、水栓装置１の径が大きくなる。しかし本実施形態では、固定ナット１２を収容部材２０の内側に配置することで、まず、固定ナット１２の厚さが外側に追加されない分、小型化が可能になる。加えて、収容部材２０と固定ナット１２をしっかりと締結した場合でも、締め付けにより固定ナット１２に加わる力は、固定ナット１２における収容部材２０の先端側の端部に対応する位置に集中すると考えられる。すると、万が一経年の使用により固定ナットが劣化するようなことがあっても、固定ナット１２に接する収容部材２０の内側ネジ部２１２には影響がない。このため、締結状態は維持されるので、水栓装置１を軽量化及び小型化することができる。
【００５１】
また、本実施形態では、固定ナット１２は、収容部材２０に螺合された状態で、開口の外側に配置されるとともに収容部材２０の先端側の端面に当接するフランジ部１２２を有する。フランジ部１２２が収容部材２０の上端の端面に当接していると、仮に固定ナット１２と収容部材２０を強く締結して固定ナット１２に応力が集中した場合でも、固定ナット１２が破断するとすれば、フランジ部１２２から内周側に向かう位置であると想定される。この場合、固定ナット１２の締結部１２１は収容部材２０の内周面に残るので、収容部材２０内の水栓装置１から漏水することが防止される。よって、漏水を防止しつつ、水栓装置１を軽量化及び小型化することができる。
【００５２】
また、本実施形態では、洗面台１００を、湯水を貯水可能なボウル部５１及びボウル部５１の背面側から起立する後方壁部５２を有する洗面器５と、後方壁部５２に設けられ、洗面器５に湯水を吐水可能な吐水装置３及び吐水装置３に隣接する水栓装置１を有する混合水栓システム４と、を含んで構成した。
本実施形態では、洗面台１００に上記の水栓装置１を備える混合水栓システム４が洗面器５に取り付けられているので、混合水栓システム４全体の重量を軽量化できるとともに、洗面台１００の製造コストを低減することができる。
【００５３】
以上、本発明の好ましい実施形態について説明したが、本発明は、上述の実施形態に制限されるものではなく、適宜変更が可能である。
図６は、他の実施形態に係る水栓装置１Ａの部分拡大断面図である。上記実施形態では、固定ナット１２は、フランジ部１２２が収容部材２０の先端側の端面に当接するように形成されているが、これに限られない。図６に示すように、固定ナットの上部が、収容部材２０の端部に当接していなくてもよい。他の実施形態では、固定ナットは、収容部材２０に設けられた固定ナットが収容部材２０の内側ネジ部２１２の基端側に当接している。固定ナットが、収容部材２０の内周面に形成された内側ネジ部２１２に締結されることにより、上記と同様の効果を奏する。
【符号の説明】
【００５４】
１        水栓装置
３        吐水装置
４        混合水栓システム
５        洗面器
１０      水栓本体
１２      固定ナット（固定部材）
１３      給水管
２０      収容部材
５１      ボウル部
５２      後方壁部
１２２    フランジ部（当接部）
２１２    内側ネジ部２１２（ネジ部）
【図１】
2020026669.tif 000003
【図２】
2020026669.tif 000004
【図３】
2020026669.tif 000005
【図４】
2020026669.tif 000006
【図５】
2020026669.tif 000007
【図６】
2020026669.tif 000008